(57)【要約】【課題】携帯電話網等を通じて通話を行うことが可能な携帯通信端末を、会社内などに形成される電話システムに接続して、高品位に通話を行えるようにする。【解決手段】ＳＩＰサーバ１に対して、ドック装置４を有線接続し、ドック装置４に対して、携帯通信端末である携帯電話端末５を有線接続して電話システムを構成する。ドック装置４は、携帯電話端末５が接続されると、端末登録離脱処理部を制御して、ＳＩＰサーバ１に対して、自機と携帯電話端末５とからなる端末をＳＩＰサーバ１の配下の電話端末として登録する。ドック装置４が携帯電話端末５を制御して、携帯電話端末５をユーザインターフェースとして用いるようにし、目的とする相手先との間に通信路を接続し、通話を行えるようにする。【選択図】図１
2012213098.tif 000002
【特許請求の範囲】
【請求項１】
広域ネットワークに接続された交換装置に対してドック装置を接続し、当該ドック装置に対して携帯通信端末を接続することにより形成される電話システムであって、
前記ドック装置は、
前記交換装置への接続を可能にする第１の接続端部と、
前記携帯通信端末の接続を可能にする第２の接続端部と、
前記第２の接続端部に前記携帯通信端末が接続された場合に、前記交換装置に対して自機を配下の電話端末として登録するようにする端末登録処理手段と、
前記第１の接続端部を通じて接続された前記交換装置との間と前記第２の接続端部を通じて接続された前記携帯通信端末との間とのそれぞれにおいて、送受する制御用のメッセージ情報を処理するメッセージ処理手段と
を備え、
前記携帯通信端末は、
前記ドック装置への接続を可能にする外部装置用接続端部と、
表示手段と、
ユーザからの操作入力を受け付ける受付手段と、
前記外部装置用接続端部を通じて接続された前記ドック装置との間において送受する制御用のメッセージ情報を処理し、前記表示手段と前記受付手段とを通じて、自機を前記ドック装置と共に構成する電話端末のユーザインターフェースとして機能させるようにする端末メッセージ処理手段と
を備えることを特徴とする電話システム。
【請求項２】
請求項１に記載の電話システムであって、
前記ドック装置は、
前記第１の接続端部を通じて接続された前記交換装置と前記第２の接続端部を通じて接続された前記携帯通信端末との間において送受する通話音声を処理するドック装置側の通話音声処理手段を備え、
前記携帯通信端末は、
通話を行うための受話器及び送話器と、
前記ドック装置を介して前記交換装置と自機との間において送受する通話音声を処理し、前記受話器及び送話器を通じて通話を行えるようにするための端末側の通話音声処理手段と
を備えることを特徴とする電話システム。
【請求項３】
請求項１または請求項２に記載の電話システムであって、
前記ドック装置は、
前記第２の接続端部を通じて自機に接続可能な１以上の携帯通信端末の識別情報を記憶する記憶手段と、
前記第２の接続端部に前記携帯通信端末が接続された場合に、携帯通信端末の識別情報の提供要求を形成し、これを前記携帯通信端末に提供する要求提供手段と、
前記提供要求に応じて前記携帯通信端末から提供される携帯通信端末の識別情報に基づいて、前記記憶手段の情報を参照し、前記第２の接続端部に接続された前記携帯通信端末が、自機に接続可能なものか否かを判別する判別手段と
を備え、
前記ドック装置の前記端末登録処理手段は、前記判別手段により、前記第２の接続端部に接続された前記携帯通信端末が自機に接続可能なものであると判別された場合に、自機を配下の電話端末として登録するものであり、
前記携帯通信端末は、
自機の識別情報を記憶する端末情報記憶手段と、
前記ドック装置からの携帯通信端末の識別情報の提供要求を受信した場合に、前記端末情報記憶手段に記憶されている自機の識別情報を、前記ドック装置に提供する端末情報提供手段と
を備えることを特徴とする電話システム。
【請求項４】
請求項１、請求項２または請求項３に記載の電話システムであって、
前記ドック装置は、
前記第２の接続端部への前記携帯通信端末の接続が切断された場合に、前記交換装置に対して自機を配下の電話端末から離脱するようにする端末離脱処理手段を備えることを特徴とする電話システム。
【請求項５】
請求項１、請求項２、請求項３または請求項４に記載の電話システムであって、
前記携帯通信端末は、
前記外部装置用接続端部を通じて前記ドック装置に接続された場合に、携帯通信端末が単独で実現することができる機能を停止させるように制御する機能停止制御手段と、
前記外部装置用接続端部を通じての前記ドック装置への接続が切断された場合に、携帯通信端末が単独で実現することができる機能を動作させるように制御する機能動作制御手段と
を備えることを特徴とする電話システム。
【請求項６】
広域ネットワークに接続された交換装置に対してドック装置を接続し、当該ドック装置に対して携帯通信端末を接続することにより形成される電話システムの前記ドック装置であって、
前記交換装置への接続を可能にする第１の接続端部と、
前記携帯通信端末の接続を可能にする第２の接続端部と、
前記第２の接続端部に前記携帯通信端末が接続された場合に、前記交換装置に対して自機を配下の電話端末として登録するようにする端末登録処理手段と、
前記第１の接続端部を通じて接続された前記交換装置との間と前記第２の接続端部を通じて接続された前記携帯通信端末との間とのそれぞれにおいて、送受する制御用のメッセージ情報を処理するメッセージ処理手段と
を備えることを特徴とするドック装置。
【請求項７】
広域ネットワークに接続された交換装置に対してドック装置を接続し、当該ドック装置に対して携帯通信端末を接続することにより形成される電話システムの前記携帯通信端末であって、
前記ドック装置への接続を可能にする外部装置用接続端部と、
表示手段と、
ユーザからの操作入力を受け付ける受付手段と
前記外部装置用接続端部を通じて接続された前記ドック装置との間において送受する制御用のメッセージ情報を処理し、前記表示手段と前記受付手段とを通じて、自機を前記ドック装置と共に構成する電話端末のユーザインターフェースとして機能させるようにする端末メッセージ処理手段と
を備えることを特徴とする携帯通信端末。
【請求項８】
広域ネットワークに接続された交換装置に対してドック装置を接続し、当該ドック装置に対して携帯通信端末を接続することにより形成される電話システムにおける機器接続方法であって、
前記ドック装置においては、
端末用の接続端部に対して前記携帯通信端末が接続された場合に、端末登録処理手段が前記交換装置に対して自機を配下の電話端末として登録するようにする端末登録処理工程と、
自機が接続された前記交換装置との間と、自機に接続された前記携帯通信端末との間とのそれぞれにおいて、メッセージ処理手段により送受する制御用のメッセージ情報を処理するメッセージ処理工程と、
を有し、
前記携帯通信端末においては、
端末メッセージ処理手段が、外部装置用の接続端部を通じて接続された前記ドック装置との間において送受する制御用のメッセージ情報を処理し、表示手段と受付手段とを通じて、自機を前記ドック装置と共に構成する電話端末のユーザインターフェースとして機能させるようにする端末メッセージ処理工程と
を有することを特徴とする電話システムにおける機器接続方法。
【発明の詳細な説明】
【技術分野】
【０００１】
この発明は、例えば、ＳＩＰ（Session Initiation Protocol）サーバや主装置といった交換装置に対して通信機器を接続して構成する電話システム、当該システムで用いられる各装置及び方法に関する。
【背景技術】
【０００２】
携帯電話端末は、外出の多い業務や屋外での作業の多い業務に従事している人にとって、取引先や所属する会社との連絡を確実に取るための手段として必需品となっている。そして、会社内に居る（在席している）ときには、携帯電話端末を会社内に形成される電話システムの電話機として用いるようにすることも考えられている。この場合、携帯電話端末の当該電話システムへの接続は無線を使用し、当該電話システム内に設けられる特定のアクセスポイント（ＡＰ）の通信圏内に位置していることを条件に携帯電話端末を電話システムの電話機として動作させるようにしている。また、携帯電話端末が当該特定のアクセスポイントの圏外へ移動することで、本来の携帯電話網（３Ｇ回線）を通じて通信を行う携帯電話端末へと復帰するようにしている。
【０００３】
そして、後に記す非特許文献１、非特許文献２には、上述したような携帯電話端末を会社内などに設けられる電話システムの電話機として利用できるようにする技術（サービス）の一例が紹介されている。しかしながら、携帯電話端末を電話システムの電話機として使用する場合、無線を介した通信では、障害物やノイズの混入等の影響を受けやすく、安定した通信品質を保つことができない状態が生じる場合がある。これに関連して後に記す特許文献１には、アクセスポイントとの間で無線接続されて通信を行う無線ＬＡＮ（Local Area Network）装置を、有線ＬＡＮに接続された充電台に接続したときには、当該充電台を通じて有線ＬＡＮに接続して通信を行えるようにする技術が開示されている。
【先行技術文献】
【特許文献】
【０００４】
【特許文献１】特開２００１−２７４８０９号公報
【非特許文献】
【０００５】
【非特許文献１】Ｐｈｏｎｅユビキタス（全国内線ソリューション）［平成２３年１月１７日検索］、インターネット＜ＵＲＬ：http://www.ntt.com/ubi-voip/data/dial in.html?banner id=k ｇ ubvo002＞
【非特許文献２】事業所用コードレスシステム［平成２３年１月１７日検索］、インターネット＜ＵＲＬ：http//www.willcom-inc.com/ja/biz/service/cordless/index.html＞
【発明の概要】
【発明が解決しようとする課題】
【０００６】
しかしながら、上述した特許文献１においては、通話を行うことを想定していないために、通話制御に関することについては全く記載されていない。すなわち、特許文献１には、無線ＬＡＮ端末を有線ＬＡＮに接続して目的とする相手先との間で通信路（通信回線）を接続し、通話を行うようにするまでの処理（制御）については説明されていない。このため、会社内などに構築される電話システムに、特許文献１に記載の技術を適用しても、単に携帯電話端末を、充電台を通じて有線ＬＡＮに接続することできるだけである。
【０００７】
したがって、特許文献１に記載の技術だけでは、携帯電話端末を電話システムに接続し、実際に、電話を掛けたり、電話を受けたりして、目的とする相手先との間に通信路を接続し、通話を行えるようにすることはできない。また、近年においては、通信機能を備えたパッド型情報端末あるいはタブレット型情報端末などと呼ばれる携帯通信端末（携帯情報端末）も利用されるようになってきている。これらの携帯通信端末を用いる場合においても、上述した携帯電話端末を用いる場合と同様の課題が存在する。すなわち、携帯通信端末を常時携帯通信端末として用いるのではなく、会社内などにいるときには、電話システムに接続して有効活用を図るようにしたいとする要求がある。
【０００８】
以上のことに鑑み、この発明は、携帯電話網等を通じて通信を行うことが可能な携帯電話端末等の携帯通信端末を、会社内などに形成される電話システムに接続して、高品位に通話を行えるようにすることを目的とする。
【課題を解決するための手段】
【０００９】
上記課題を解決するため、請求項１に記載の発明の電話システムは、
広域ネットワークに接続された交換装置に対してドック装置を接続し、当該ドック装置に対して携帯通信端末を接続することにより形成される電話システムであって、
前記ドック装置は、
前記交換装置への接続を可能にする第１の接続端部と、
前記携帯通信端末の接続を可能にする第２の接続端部と、
前記第２の接続端部に前記携帯通信端末が接続された場合に、前記交換装置に対して自機を配下の電話端末として登録するようにする端末登録処理手段と、
前記第１の接続端部を通じて接続された前記交換装置との間と前記第２の接続端部を通じて接続された前記携帯通信端末との間とのそれぞれにおいて、送受する制御用のメッセージ情報を処理するメッセージ処理手段と
を備え、
前記携帯通信端末は、
前記ドック装置への接続を可能にする外部装置用接続端部と、
表示手段と、
ユーザからの操作入力を受け付ける受付手段と、
前記外部装置用接続端部を通じて接続された前記ドック装置との間において送受する制御用のメッセージ情報を処理し、前記表示手段と前記受付手段とを通じて、自機を前記ドック装置と共に構成する電話端末のユーザインターフェースとして機能させるようにする端末メッセージ処理手段と
を備えることを特徴とする。
【００１０】
この請求項１に記載の発明の電話システムによれば、当該電話システムは、交換装置に対して、ドック装置が接続され、また、当該ドック装置に対して、携帯通信端末が接続されて形成される。ドック装置においては、第２の接続端部を通じて携帯通信端末が接続されると、端末登録処理手段により、交換装置に対して自機を配下の電話端末として登録するようにされる。そして、メッセージ処理手段により、自機が接続された交換装置との間と、自機に接続された携帯通信端末との間とのそれぞれにおいて送受される種々の制御用のメッセージ情報が処理される。メッセージ情報は、種々の要求、指示、応答、通知などの主に制御に関する情報である。
【００１１】
一方、携帯通信端末においては、自機の外部装置用接続端部を通じてドック装置に接続されると、端末メッセージ処理手段により、ドック装置との間において送受される種々の制御用のメッセージ情報が処理される。この場合のメッセージ情報もまた、ドック装置で処理されるメッセージ情報と同様に、種々の要求、指示、応答、通知などの主に制御に関する情報である。そして、端末メッセージ処理手段により、携帯通信端末の表示手段と受付手段とを通じて、自機を前記ドック装置と共に構成する電話端末のユーザインターフェースとして機能するようにされる。
【００１２】
このように、ドック装置に対して携帯通信端末が接続されると、ドック装置と携帯通信端末とで交換装置の配下の電話端末となるようにされる。そして、ドック装置と携帯通信端末とからなる電話端末は、当該携帯通信端末をユーザインターフェースとして用いるようにし、交換装置を通じて高品位に通話を行うことができるようにされる。すなわち、携帯通信端末を、会社内などに形成される電話システムに接続して、高品位に通話を行えるようにすることができる。
【発明の効果】
【００１３】
この発明によれば、携帯電話網等を通じて通信を行う携帯通信端末を、会社内などに構築される電話システムに対して接続して高品位に通話を行えるようにすることができる。
【図面の簡単な説明】
【００１４】
【図１】実施の形態の電話システムの概要を説明するためのブロック図である。
【図２】ＳＩＰサーバ１の構成例を説明するためのブロック図である。
【図３】アドレス管理ＤＢ１０６に形成される管理情報（データベース）の構成例について説明するための図である。
【図４】ドック装置４の構成例を説明するためのブロック図である。
【図５】接続端末登録メモリ４２１において管理される情報の例を説明するための図である。
【図６】携帯電話端末５の構成例を説明するためのブロック図である。
【図７】ドック装置４と携帯電話端末５とからなる電話端末を通じて、着信に応答して通話を行う場合の処理について説明するためのシーケンス図である。
【図８】ドック装置４と携帯電話端末５とからなる電話端末を通じて、発信して通話を行う場合の処理について説明するためのシーケンス図である。
【図９】図８に続くシーケンス図である。
【図１０】携帯電話端末５をドック装置４から切り離すようにした場合の処理について説明するためのシーケンス図である。
【発明を実施するための形態】
【００１５】
以下、図を参照しながら、この発明によるシステム、装置、方法の一実施の形態について説明する。以下に説明する実施の形態においては、例えば、事業所内に形成されるボタン電話システムであって、ＩＰ（Internet Protocol）網を通じて電話通信を行うことができるＩＰ電話システムに、この発明を適用した場合を例にして説明する。
【００１６】
［電話システムの概要］
図１は、この実施の形態の電話システムの概要を説明するためのブロック図である。図１に示すように、この実施の形態の電話システムは、ＳＩＰサーバ１に対し、ハブ装置３を通じてドック装置４が接続され、当該ドック装置４に対して携帯通信端末としての携帯電話端末５が接続されて構成されている。この例の場合、ＳＩＰサーバ１とハブ装置３との間は、ＬＡＮケーブル２Ａにより接続され、ハブ装置３とドック装置４との間は、ＬＡＮケーブル２Ｂにより接続されている。また、ドック装置４と携帯電話端末５との間は、ＵＳＢ（Universal Serial Bus）ケーブル８によって接続されている。
【００１７】
ハブ装置３は、いわゆる集線装置であり、図１に示したように、複数の接続端子を備えている。したがって、ＳＩＰサーバ１に対しは、ハブ装置３を通じて複数のドック装置等をＬＡＮ接続することができるようにされている。なお、この実施の形態においては、説明を簡単にするため、ＳＩＰサーバ１に対しては、ハブ装置３を介して１つのドック装置４が接続されている場合の例を示している。
【００１８】
ＳＩＰサーバ１は、図１に示したように、ＩＰ網６と電話網７とに接続され、通信路（通信回線）を接続する端末間のアドレス解決をするものである。つまり、ＳＩＰサーバ１は、レジストラ・サーバ機能とプロキシ・サーバ機能とを備え、これらの機能を用いることによって、ＬＡＮに接続された電話システム内の機器との間や、ＬＡＮに接続された機器とＩＰ網６や電話網７に接続された機器との間に、通信路を接続することができるようにするものである。そして、この実施の形態においては、ＳＩＰサーバ１に対して、図１に示したように、例えば、「１９２．１６８．１．１」となるＩＰアドレスが割り当てられている。
【００１９】
また、ＩＰ網６は、ＩＰ（Internet Protocol）を用いて通信を行うネットワークを意味し、具体的にはインターネットである。また、電話網７は、アナログ方式の公衆交換電話網（ＰＳＴＮ（Public Switched Telephone Network））、デジタル回線網（ＩＳＤＮ（Integrated Services Digital Network））、３Ｇ回線などと呼ばれる第３世代の高速携帯電話ネットワーク（携帯電話網）などを含むものである。
【００２０】
ドック装置４は、詳しくは後述もするが、これに携帯電話端末５が接続されることにより、当該携帯電話端末５と共に、ＳＩＰサーバ１の配下の電話端末を構成する。このため、ドック装置４のメモリには、図１のドック装置４の下側に示したように、自機がＳＩＰサーバ１の配下の電話端末になるための内線登録データが予め設定されている。ここで、図１に示したドック装置４に設定される内線登録データは、内線番号「２０１０」、ＩＰアドレス「１９２．１６８．１．１０」、ポート番号「５０６０」というものである。
【００２１】
そして、ドック装置４は、これに接続される携帯電話端末５と共にＳＩＰサーバ１の配下の電話端末となっている場合には、当該電話端末の本体部分となり、携帯電話端末５の自機への有線接続を可能にすると共に、通信路を接続して通話を行えるように制御する機能を有する。すなわち、ドック装置４は、これに接続される携帯電話端末５の制御の主体ともなるものである。一方、ドック装置４に接続される携帯電話端末５は、当該ドック装置４と共に構成する電話端末のユーザインターフェース部分となり、受話器、送話器、ディスプレイ、キー操作部の各機能を実現する部分となる。
【００２２】
なお、携帯電話端末５は、これが単体で用いられるときには、携帯電話網（３Ｇ回線）を通じて通信路を接続して通話を行うことができるものである。また、携帯電話端末５は、携帯電話網を通じてインターネットに接続し、Ｗｅｂページを閲覧したり、種々の情報のダウンロードやアップロードを行ったり、また、電子メールの送信、受信を行ったりすることができるものである。
【００２３】
このように、この実施の形態の電話システムは、ＳＩＰサーバ１に対してＬＡＮ接続されるドック装置４に対して、携帯電話端末５を有線接続することにより、ドック装置４と携帯電話端末５とによって、ＳＩＰサーバ１の配下の電話端末が構成される。そして、ＳＩＰサーバ１とドック装置４だけでなく、ドック装置４と携帯電話端末５とも有線で接続されることによって、携帯電話端末５をユーザインターフェースとして用いるようにし、常時、高品位に通話を行うことが可能な電話システムが実現される。以下、この実施の形態の電話システムを構成する各機器について具体的に説明する。
【００２４】
［ＳＩＰサーバ１の構成例］
まず、この実施の形態の電話システムのＳＩＰサーバ１について説明する。図２は、ＳＩＰサーバ１の構成例を説明するためのブロック図である。図２に示すように、ＳＩＰサーバ１は、ＩＰ網６への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、電話網７への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮへの接続端子１０８と、制御部１１０とを備えている。
【００２５】
制御部１１０は、この実施の形態のＳＩＰサーバ１の各部を制御するものであり、図２に示すように、ＣＰＵ（Central Processing Unit）１１１、ＲＯＭ（Read Only Memory）１１２、ＲＡＭ（Random Access Memory）１１３がシステムバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００２６】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００２７】
接続端子１０１は、ＩＰ網６への接続端部を構成するものである。ＩＰ網Ｉ／Ｆ１０２は、ＩＰ網６を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網６に送出する。
【００２８】
接続端子１０５は電話網７への接続端部を構成するものである。電話網Ｉ／Ｆ１０４は、電話網７を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網７に送出する。
【００２９】
接続端子１０８はＬＡＮへの接続端部を構成するものである。ＬＡＮＩ／Ｆ１０７は、ＬＡＮを通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮに送出する。
【００３０】
パケット分解／生成部１０３は、パケットの分解や生成を行うものである。具体的には、ＬＡＮを通じてＳＩＰサーバ１に対して接続される電話端末（ＩＰ電話端末）等からの電話網７に接続された端末装置に送信すべきパケットは、接続端子１０８、ＬＡＮＩ／Ｆ１０７を通じて制御部１１０に受け付けられる。当該パケットは、制御部１１０からパケット分解／生成部１０３に供給され、ここでパケット分解された後に、電話網Ｉ／Ｆ１０４、接続端子１０５を通じて電話網７に送出され、目的とする相手先に送信するようにされる。
【００３１】
また、電話網７に接続された端末装置からのＬＡＮを通じてＳＩＰサーバ１に接続される配下の電話端末等へのデータは、接続端子１０５、電話網Ｉ／Ｆ１０４を通じて制御部１１０に受け付けられる。当該データは、制御部１１０からパケット分解／生成部１０３に供給され、ここで所定の形式のパケットとされた後に、ＬＡＮＩ／Ｆ１０７、接続端子１０８を通じて、ＬＡＮに送出されて目的とする電話端末に送信するようにされる。
【００３２】
なお、ＩＰ網６に接続された端末と、ＳＩＰサーバ１にＬＡＮを通じて接続される電話端末等との間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受するようにされる。同様に、ＳＩＰサーバ１にＬＡＮを通じて接続される電話端末等の機器間においても、パケットが送受されるため、パケット分解／生成部１０３において、パケットの分解や生成は行われることはなく、ＬＡＮＩ／Ｆ１０７を通じてパケットが送受するようにされる。
【００３３】
そして、アドレス管理ＤＢ１０６は、レジストラ・サーバ機能を実現するために、ＩＰ網６やＬＡＮに接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるアドレス情報等を抽出する。そして、制御部１１０は、抽出したアドレス情報等をアドレス管理ＤＢ１０６に登録したり、抽出したアドレス情報等を用いてアドレス管理ＤＢ１０６の登録情報を更新したりする。
【００３４】
このようにして、アドレス管理ＤＢ１０６に登録されて管理される情報が参照され、自機にＬＡＮを通じて接続される電話端末などから要求のあった通信先を確実に特定する。そして、その特定した相手先に送信すべき情報（パケットデータ）を転送するようにするプロキシ・サーバとしての機能をＳＩＰサーバ１が実現するようにしている。また、アドレス管理ＤＢ１０６に登録されて管理される情報は、自機にＬＡＮを通じて接続される電話端末などへの着信の判別などにも用いられる。
【００３５】
図３は、アドレス管理ＤＢ１０６に形成される管理情報（データベース）の構成例について説明するための図である。ＳＩＰサーバ１のアドレス管理ＤＢ１０６は、ＩＰ網６に接続された他のＩＰ電話システムの端末装置のアドレス情報の他、当該ＳＩＰサーバ１にＬＡＮ接続された電話端末などについてのアドレス情報をも管理することができるものである。
【００３６】
この実施の形態のＳＩＰサーバ１のアドレス管理ＤＢ１０６では、図３に示したように、ＳＩＰサーバ１にＬＡＮ接続された電話端末については、内線番号、ＩＰアドレス、ポート番号、その他の種々の情報を登録して管理することができるようにされる。ここで、内線番号とＩＰアドレスとは、ＳＩＰサーバ１の配下の当該電話端末に対して予め割り当てられるようにされたものである。また、ポート番号は、ＳＩＰサーバ１と当該電話端末との間において、情報の送受に用いるポートを特定する情報であり、当該情報も予め決められたものである。その他の情報として、例えば、ＵＲＩ（Uniform Resource Identifier）やＭＡＣ（Media Access Control）アドレス等についても登録して管理することもできるようにされる。
【００３７】
また、この実施の形態のＳＩＰサーバ１のアドレス管理ＤＢ１０６において管理されるＩＰ網６に接続された端末装置についての管理情報は、当該端末装置から送信されてくるＵＲＩ（ＳＩＰ  ＵＲＩ）と、ＩＰアドレスである。この他、ＭＡＣアドレス等の送信されてくる他の情報を管理することも可能である。
【００３８】
そして、この実施の形態の電話システムにおけるＳＩＰサーバ１の配下の電話端末からＩＰ網６に接続された端末装置に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の端末装置を特定し、この特定した端末装置に対して、メッセージの転送を行う。
【００３９】
同様に、この実施の形態の電話システムにおけるＳＩＰサーバ１の配下の電話端末から当該ＳＩＰサーバ１にＬＡＮ接続されている当該ＳＩＰサーバの配下の他の電話端末に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の電話端末を特定し、この特定した電話端末に対して、メッセージの転送を行う。
【００４０】
また、ＩＰ網６や電話網７を通じて、自機にＬＡＮに接続されている電話端末に対する着信要求（外線着信）をＳＩＰサーバ１が受け付けたとする。この場合、ＳＩＰサーバ１の制御部１１０は、送信されてきたメッセージを受け付けて、これを自システム内に送出する。なお、外線着信であっても、例えば個別着信（着信先のＩＰ電話端末を特定した着信）や、ＳＩＰサーバ１にＬＡＮ接続された電話端末の内線の発着信の場合には、ＳＩＰサーバ１は相手先を特定して着信を通知する。すなわち、この場合、ＳＩＰサーバ１の制御部１１０は、自己のアドレス管理ＤＢ１０６の管理情報に基づいて、目的とする自配下の相手先の電話端末を特定し、この特定した自配下の電話端末に対して、メッセージの転送を行う。
【００４１】
また、発信に際して、ＩＰ電話番号が用いられる場合には、図１には図示しなかったが、ＩＰ網６に接続されているゲートウェイやＤＮＳ（Domain Name System）が利用されて、ＩＰ電話番号からＵＲＩなどが検索されて用いられることになる。相手先から、この実施の形態の電話システムのＳＩＰサーバ１の配下の電話端末に対して、ＩＰ電話番号を用いて電話をかける場合においても同様に、ＩＰ網６に接続されているゲートウェイやＤＮＳが利用されて、ＩＰ電話番号からＵＲＩなどが検索されて用いられることになる。
【００４２】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮを通じて接続される電話端末毎に供給すべきＬＥＤ等の点灯、消灯を制御するための制御情報を形成する。当該制御情報は、ＬＡＮＩ／Ｆ１０７、接続端子１０８を通じてＬＡＮに送出され、各電話端末等に送信される。
【００４３】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。したがって、この実施の形態の主装置１は、外線−内線間の接続や内線間の接続を行ったり、通信回線の使用状況を配下の無線通信端末に通知したりすることができるものである。
【００４４】
そして、上述もしたように、この実施の形態においては、ＳＩＰサーバ１に接続されたドック装置４に対して携帯電話端末５がＵＳＢケーブル８を通じて接続されると、当該ドック装置４と携帯電話端末５とが、ＳＩＰサーバ１の配下の電話端末となる。この場合、ドック装置４は、ＳＩＰサーバ１に対して、内線登録データ（内線番号、ＩＰアドレス、ポート番号）を提供し、自機をＳＩＰサーバ１の配下の電話端末として登録する。
【００４５】
これにより、ＳＩＰサーバ１においては、アドレス管理ＤＢ１０６において、図３を用いて説明したように、当該ドック装置４からの内線登録データが管理される。すなわち、ドック装置４と携帯電話端末５とからなる端末装置が、ＳＩＰサーバ１の配下の電話端末としてＳＩＰサーバ１において管理することができるようにされる。また、当該ドック装置４に接続されていた当該携帯電話端末５が切り離されると、当該ドック装置４は、ＳＩＰサーバ１に対して自機を配下の電話端末から離脱させるようにする要求を提供する。この場合、ＳＩＰサーバ１においては、アドレス管理ＤＢ１０６から当該ドック装置４の内線登録データが抹消され、当該ドック装置４は、ＳＩＰサーバ１の配下から離脱するようにされる。
【００４６】
なお、図２において、パケット分解／生成部１０３は、独立した回路部分として示しているが、これに限るものではない。パケット分解／生成部１０３は、制御部１１０において実行されるプログラムにより、制御部１１０の機能として実現することももちろん可能である。
【００４７】
［ドック装置４の構成例］
次に、この実施の形態の電話システムで用いられるドック装置４の構成について説明する。図４は、この実施の形態の電話システムのドック装置４の構成例を説明するためのブロック図である。
【００４８】
この実施の形態のドック装置４は、図４に示すように、ＬＡＮ接続端子４０１、ＬＡＮＩ／Ｆ４０２、外部端子４１１、外部インターフェース（以下、外部Ｉ／Ｆと略称する。）４１２、充電電流供給部４１３、ＡＣコンセント４１４、接続端末登録メモリ４２１、端末登録離脱処理部４２２、メッセージ処理部４２３、通話音声処理部４２４、制御部４３０を備えている。制御部４３０は、この実施の形態のドック装置４の各部を制御するものであり、ＣＰＵ４３１、ＲＯＭ４３２、ＲＡＭ４３３、ＥＥＰＲＯＭ４３４が、ＣＰＵバス４３５を通じて接続されて構成されたマイクロコンピュータである。
【００４９】
ＣＰＵ４３１は、ＲＯＭ４３２に記憶保持されているプログラムを読み出して実行し、各部に供給する制御信号を形成してこれを各部に供給したり、また、各部から供給されるデータを処理したりするものである。ＲＯＭ４３２は、上述のように、ＣＰＵ４３１で実行される種々のプログラムや処理に必要になる各種のデータが記憶保持されたものである。また、ＲＡＭ４３３は、処理の途中結果を一時記憶するなど、主に作業領域として用いられるものである。
【００５０】
また、ＥＥＰＲＯＭ４３４は、電源が落とされても保持しておくべきデータ、例えば、種々の設定パラメータや機能アップのために提供された新たなプログラムなどについても記憶保持することができるようにされている。なお、ＥＥＰＲＯＭ４３４は、図１を用いて説明したように、ドック装置４に対して予め設定される内線番号、ＩＰアドレス、ポート番号などからなる内線登録データについても記憶保持している。
【００５１】
ＬＡＮ接続端子４０１は、ＬＡＮへの接続端部を構成するものである。ＬＡＮＩ／Ｆ４０２は、ＬＡＮを通じて供給されるパケットを受け付けて、これを自機において処理可能な形式のパケットに変換して制御部４３０に供給する。また、ＬＡＮＩ／Ｆ４０２は、制御部４３０を通じて供給される送信すべきパケットを送信用の形式のパケットに変換して、これをＬＡＮに送出する。
【００５２】
外部端子４１１は、外部機器である携帯電話端末５との接続端部を構成するものであり、データ端子と充電端子とを有するものである。このため、図４に示したように、外部端子４１１には、外部Ｉ／Ｆ４１２と、充電電流供給部４１３とが接続されている。外部端子４１１に携帯電話端末５などの外部機器が接続されると、外部Ｉ／Ｆ４１２は、当該携帯電話端末５との間で接続時の信号のやり取りをすることにより、携帯電話端末５が接続されたことを検知し、制御部４３０に通知する。これにより、制御部４３０は、外部端子４１１を通じて自機に携帯電話端末５が接続されたことを認識することができる。
【００５３】
また、外部Ｉ／Ｆ４１２は、外部端子４１１を通じて供給される携帯電話端末５からのデータを受け付けて、これを自機において処理可能な形式のデータに変換して制御部４３０に供給する。また、外部Ｉ／Ｆ４１２は、外部端子４１１に接続された携帯電話端末５に供給する制御部４３０からのデータを出力用の所定の形式のデータに変換して、これを外部端子４１１を通じて出力する。
【００５４】
充電電流供給部４１３は、ＡＣコンセント４１４から送られてくる商用交流電圧から直流の充電電流を生成する。そして、充電電流供給部４１３は、外部Ｉ／Ｆ４１２からの携帯電話端末５がドック装置４に接続されたことの検知通知に基づく制御部４３０の制御により駆動状態に制御されて、充電電流を、外部端子を通じて携帯電話端末５に供給するようにする。
【００５５】
そして、この実施の形態において、ドック装置４の外部端子４１１、外部Ｉ／Ｆ４１２、充電電流供給部４１３からなる部分は、ＵＳＢ（Universal Serial Bus）規格に準拠したものである。すなわち、この実施の形態において、ドック装置４の外部端子４１１はＵＳＢ端子である。
【００５６】
接続端末登録メモリ４２１は、外部端子４１１を通じて当該ドック装置４に対して接続可能な携帯電話端末５の端末識別情報と接続状態を示す情報とを記憶保持するものである。この接続端末登録メモリ４２１の登録情報に基づいたチェックにより、当該ドック装置４に対して予め決められた携帯電話端末だけの接続を可能し、部外者の携帯電話端末がドック装置４に接続されて当該電話システムを通じて通話が行われることを防止することができるようにしている。
【００５７】
図５は、接続端末登録メモリ４２１において管理される情報の例を説明するための図である。図５に示すように、接続端末登録メモリ４２１には、端末識別情報として、ＳＩＭ．Ｎｏ、登録端末名、電話番号、キャリア（契約電話会社）が予め登録するようにされている。なお、図５において、ＳＩＭ．Ｎｏは、「０１」〜「１０」までの２桁のシーケンス番号として示しているが、実際のＳＩＭ．Ｎｏは、各携帯電話端末５のＳＩＭカードに記録されている情報が用いられ、各携帯電話端末５を一意に特定可能にされる。
【００５８】
また、登録端末名は、当該電話システムにおいて便宜的に各携帯電話端末５を識別するために付した情報である。なお、登録端末名は、携帯電話端末５のユーザ名等であってもよい。また、電話番号は、各携帯電話端末５に割り当てられた電話番号であり、キャリアは当該携帯電話端末を携帯電話網に接続して通信を行えるようにするサービスを提供する携帯電話会社の名称である。
【００５９】
これらの端末識別情報は、例えば、この実施の形態の電話システムの管理者によって、当該電話システムを利用することができるユーザの携帯電話端末５の情報が登録するようにされる。そして、図５に示した例の場合には、当該ドック装置４には、端末Ａ〜端末Ｊまでの異なる１０台の携帯電話端末５が接続可能なものとして登録されている場合を示している。また、図５に示した例の場合には、端末Ａ〜端末Ｊの内、端末Ａが、現在、当該ドック装置４に接続されていることを示している。
【００６０】
そして、端末登録離脱処理部４２２は、ドック装置４と携帯電話端末５とからなる電話端末をＳＩＰサーバ１に対して配下の電話端末として登録する処理を行う。また、端末登録離脱処理部４２２は、ＳＩＰサーバ１の配下の電話端末として登録したドック装置４と携帯電話端末５とからなる電話端末をＳＩＰサーバ１の配下から離脱させるようにする処理を行う。具体的に、外部端子４１１に携帯電話端末５が接続されたことを、外部Ｉ／Ｆ４１２を通じて制御部４３０が検知し、当該携帯電話端末５から提供される端末識別情報と同じ端末識別情報が接続端末登録メモリ４２１に登録されていると判別したとする。この場合に、制御部４３０が、端末登録離脱処理部４２２を制御して、当該ドック装置４とこれに接続される携帯電話端末とにより構成される端末が、ＳＩＰサーバ１の配下の電話端末となるようにするための登録処理を行う。
【００６１】
具体的に、端末登録離脱処理部４２２は、制御部４３０の制御に応じて、ＳＩＰサーバ１への登録要求を形成し、これを制御部４３０、ＬＡＮＩ／Ｆ４０２、ＬＡＮ接続端子４０１を通じて、ＳＩＰサーバ１に送信するようにする。ここで、登録要求は、当該要求が登録要求であることを示す情報と、図３を用いて説明したように、内線登録データ（内線番号、ＩＰアドレス、ポート番号）を含むものである。ＳＩＰサーバ１では、ドック装置４からの登録要求に基づいて、要求元の電話端末についての内線番号、ＩＰアドレス、ポート番号がアドレス管理ＤＢ１０６に登録される。これにより、当該ドック装置４と、これに接続された携帯電話端末５とによって構成される電話端末が、ＳＩＰサーバ１の配下の電話端末となる。
【００６２】
また、端末登録離脱処理部４２２は、外部端子４１１に接続された携帯電話端末５が、当該外部端子４１１から離脱したことを外部Ｉ／Ｆ４１２を通じて制御部４３０が検知した場合に、離脱処理を行う。この場合、端末登録離脱処理部４２２は、制御部４３０の制御に応じて、ＳＩＰサーバ１への離脱要求を形成し、これを制御部４３０、ＬＡＮＩ／Ｆ４０２、ＬＡＮ接続端子４０１を通じて、ＳＩＰサーバ１に送信するようにする。ここで離脱要求は、当該要求が離脱要求であることを示す情報と、例えば、内線登録データを含むものである。ＳＩＰサーバ１では、ドック装置４からの離脱要求に基づいて、要求元の電話端末についての内線登録データをアドレス管理ＤＢ１０６から削除する。これにより、当該ドック装置４と携帯電話端末５とからなる電話端末が、ＳＩＰサーバ１の配下から離脱するようにされる。
【００６３】
メッセージ処理部４２３は、ＳＩＰサーバ１との間や外部端子４１１に接続される携帯電話端末５との間において送受されるメッセージ（要求、指示、通知、応答等）を処理する。具体的に、メッセージ処理部４２３は、外部端子４１１に接続された携帯電話端末５に対する種々のメッセージを形成し、これを制御部４３０、外部Ｉ／Ｆ４１２、外部端子４１１を通じて携帯電話端末５に供給する。また、メッセージ処理部４２３は、外部端子４１１に接続された携帯電話端末５からのメッセージを受け付け、これを制御部４３０で利用できるようにする。また、メッセージ処理部４２３は、ＳＩＰサーバ１に供給するメッセージを形成して、これを制御部４３０、ＬＡＮＩ／Ｆ４０２、ＬＡＮ接続端子４０１を通じてＬＡＮに送出し、ＳＩＰサーバ１に供給する。また、メッセージ処理部４２３は、ＬＡＮ接続されたＳＩＰサーバ１からのメッセージを受け付け、これを制御部４３０で利用できるようにする。
【００６４】
通話音声処理部４２４は、ＳＩＰサーバ１と携帯電話端末５とを通じて送受される通話音声を処理する。具体的には、ＳＩＰサーバ１を通じて提供されるＩＰ網６や電話網７に接続された相手先の電話端末からの通話音声は、ＬＡＮ接続端子４０１、ＬＡＮＩ／Ｆ４０２、制御部４３０を通じて通話音声処理部４２４に供給される。通話音声処理部４２４は、相手先からの通話音声から外部端子４１１に接続された携帯電話端末５に提供する形式の音声信号を形成し、これを制御部４３０、外部Ｉ／Ｆ４１２、外部端子４１１を通じて、携帯電話端末５に供給する。
【００６５】
また、ＬＡＮに接続されたドック装置４と携帯電話端末５とからなる電話端末からの通話音声は、外部端子４１１、外部Ｉ／Ｆ４１２、制御部４３０を通じて通話音声処理部４２４に供給される。通話音声処理部４２４は、携帯電話端末５からの通話音声から相手先に供給する形式の音声信号を形成し、これを制御部４３０、ＬＡＮＩ／Ｆ４０２、ＬＡＮ端子４０１を通じて、ＳＩＰサーバ１に送信する。これにより、携帯電話端末５からの通話音声は、当該ＳＩＰサーバ１及び広域ネットワークを通じて目的とする通話に相手先に送信される。
【００６６】
このように、この実施の形態のドック装置４は、携帯電話端末５が接続されることにより、当該携帯電話端末５と共に、ＳＩＰサーバ１の配下の電話端末となり、ＳＩＰサーバ１を通じて、ＩＰ網６や電話網７に接続された電話端末との間で通話を行うことができるようにしている。そして、ドック装置４と携帯電話端末５とは、ＵＳＢケーブル８によって有線接続される。したがって、無線接続時のように、障害物やノイズの混入等の外的な影響が受け難く、高品位に通話音声を送受して通話を行うことができるようにしている。また、ドック装置４に対して携帯電話端末５が接続されている場合においては、ドック装置４を通じて携帯電話端末５に対して充電を行うこともできるので、特別に充電時間を設けることもなく、外出に備えることができる。
【００６７】
なお、図４において、二重線で示した端末登録離脱処理部４２２と、メッセージ処理部４２３と、通話音声処理部４２４とは、それぞれ独立した回路部分として示しているが、制御部４３０において実行されるプログラムにより、制御部４３０の機能として実現することももちろん可能である。
【００６８】
［携帯電話端末５の構成例］
次に、この実施の形態の電話システムで用いられる携帯電話端末５の構成について説明する。図６は、この実施の形態の電話システムの携帯電話端末５の構成例を説明するためのブロック図である。
【００６９】
図６に示すように、この実施の形態の携帯電話端末５は、無線通信処理系として、送受信アンテナ５０１、電話通信部５０２、送受信信号処理部５０３、通話音声処理部５０４を備えている。通話音声処理部５０４には、受話アンプ５０５を通じて受話器（スピーカ）５０６が接続され、また、送話器（マイクロホン）５０７が、送話アンプ５０８を通じて接続されている。
【００７０】
また、携帯電話端末５は、上述のドック装置４と協働して電話端末として機能するための部分として、メッセージ処理部５１１、端末情報提供部５１２、通話音声変換部５１３を備えている。また、携帯電話端末５は、多数の電話帳データが記録される電話帳ＤＢ５１４を備えている。
【００７１】
また、携帯電話端末５は、ユーザインターフェースを構成する部分として、操作入力部５２１、操作入力Ｉ／Ｆ５２２、ディスプレイコントローラ５２３、ディスプレイ５２４、リンガ５２５を備えている。ディスプレイ５２４は、この例では、ＬＣＤ（Liquid Crystal Display）である。この他、有機ＥＬディスプレイ（organic electroluminescence display）などのいわゆる薄型の表示素子を用いることもできる。なお、図示しないが、携帯電話端末５には、着信などを通知するためのバイブレータなども設けられている。さらに、携帯電話端末５は、外部端子５３１、外部Ｉ／Ｆ５３２、充電回路５３３、バッテリ５３４を備えると共に、携帯電話端末５の各部を制御する制御部５４０を備えている。
【００７２】
制御部５４０は、ＣＰＵ５４１、ＲＯＭ５４２、ＲＡＭ５４３、ＥＥＰＲＯＭ５４４が、ＣＰＵバス５４５を通じて接続されて形成されたマイクロコンピュータである。ＣＰＵ５４１は、ＲＯＭ５４２に記憶されているプログラムを読み出して実行し、各部に供給する制御信号を形成して、これを各部に供給したり、各部から送信されてくるデータを受け付けて、これに応じた処理を実行したりする。ＲＯＭ５４２は、ＣＰＵ５４１において実行されるプログラムや処理に必要になる種々のデータが予め記録されたものである。
【００７３】
また、ＲＡＭ５４３は、処理の途中結果を一時記憶するなど、主に作業領域として用いられるものである。また、ＥＥＰＲＯＭ５４４は、いわゆる不揮発性メモリであり、携帯電話端末５の電源を落としても保持しておくべきデータ等が記憶保持される。ＥＥＰＲＯＭ５４４には、例えば、種々の設定パラメータ、アプリケーションプログラムや機能アップのための追加プログラムなどが記憶保持される。また、ＥＥＰＲＯＭ５４４には、上述もした端末識別情報として、電話番号やキャリア名（携帯電話会社名）などの情報も記憶されている。なお、ＳＩＭ．Ｎｏは、図５には図示しないが、この携帯電話端末５のＳＩＭカードスロットに装着されているＳＩＭカードに記憶保持され、制御部５４０を通じて参照することができるようにされている。
【００７４】
そして、送受信アンテナ５０１は、携帯電話網との間でデータを送受する端部である。電話通信部５０２は、携帯電話網の基地局を通じて相手と通信をするためのものである。送受信信号処理部５０３は、制御部５４０の制御の下、電話通信部５０２を通じて受信した通信情報を解析して、呼制御メッセージや通話信号をデコードし、制御部５４０に供給すると共に、電話通信部５０２を通じて送信する送信信号を生成する。
【００７５】
通話音声処理部５０４は、制御部５４０の制御の下、送受信信号処理部５０３からの受話音声情報を、デジタル信号からアナログ信号に変換し、受話アンプ５０５に供給する。受話アンプ５０５に供給された受話音声信号は、ここで増幅された後に受話器５０６に供給されて音響再生される。通話音声処理部５０４は、また、送話器５０７で収音され、送話アンプ５０８で増幅された送話音声信号を、アナログ信号からデジタル信号に変換して、制御部５４０の制御の下、送受信信号処理部５０３に供給する。そして、上述したように、送受信信号処理部５０３は、通話音声処理部５０４からのデジタル化された送話音声信号から送信する送信信号を生成し、これを電話通信部５０２に供給して送信するようにする。
【００７６】
操作入力部５２１は、数字キー、オフフックキー、オンフックキー、その他の各種のファンクションキー等が設けられ、ユーザからの操作入力を受け付ける部分である。操作入力部５２１を通じて受け付けられたユーザからの操作入力は、操作入力Ｉ／Ｆ５２２において電気信号に変換されて、制御部５４０に通知される。これにより、制御部５４０が操作入力Ｉ／Ｆ５２２からの信号に応じて各部を制御し、ユーザの指示に応じた処理を行うことができるようにされる。
【００７７】
ディスプレイコントローラ５２３は、制御部５４０の制御に応じてディスプレイ５２４に情報を表示するための表示用信号を形成し、これをディスプレイ５２４に供給する。これによりディスプレイ５２４には、種々の情報が表示される。例えば、着信時においては、発信元の電話番号や名前、発信時においては、電話帳ＤＢ５１４に登録されている電話帳データ等が表示される。
【００７８】
この他、待ち受け時においては、所定の待ち受け画面をディスプレイ５２４に表示したり、各種のエラーメッセージやガイダンスメッセージなども表示したりすることもできるようにされる。なお、電話帳ＤＢ５１４は、よく電話を掛けたり、よく電話が掛かってきたりする相手先の電話番号、名前、住所、電子メールアドレス等の情報を多数、記憶保持することができるものである。
【００７９】
外部端子５３１は、外部機器であるドック装置４との接続端部を構成するものであり、データ端子と充電端子とを有するものである。このため、図６に示したように、外部端子５３１には、外部Ｉ／Ｆ５３２と、充電回路５３３とが接続されている。
【００８０】
外部Ｉ／Ｆ５３２は、外部端子５３１を通じて接続されたドック装置４との間でデータを送受するためのものである。外部端子５３１にドック装置４が接続されると、外部Ｉ／Ｆ５３２は、当該ドック装置４との間で接続時の信号のやり取りをすることにより、ドック装置４に接続されたことを検知し、制御部５４０に通知する。これにより、制御部５４０は、外部端子５３１を通じて自機がドック装置４に接続されたことを認識することができる。
【００８１】
また、外部Ｉ／Ｆ５３２は、外部端子５３１を通じて供給されるドック装置４からのデータを受け付けて、これを自機において処理可能な形式のデータに変換して制御部５４０に供給する。また、外部Ｉ／Ｆ５３２は、外部端子５３１に接続されたドック装置４に供給する制御部５４０からのデータを出力用の所定の形式のデータに変換して、これを外部端子５３１を通じて出力する。
【００８２】
充電回路５３３は、外部端子５３１の充電端子を通じてドック装置４から送られてくる充電電流からバッテリに供給する電流を生成する。そして、充電回路５３３は、外部Ｉ／Ｆ５３２からのドック装置４に接続されたことの検知通知に基づく制御部５４０の制御により駆動状態に制御されて、充電用に生成した電流をバッテリ５３４に供給する。これにより携帯電話端末５のバッテリ５３４の充電が行われる。
【００８３】
なお、この実施の形態において、携帯電話端末５の外部端子５３１、外部Ｉ／Ｆ５３２、充電回路５３３からなる部分は、ＵＳＢ（Universal Serial Bus）規格に準拠したものである。すなわち、この実施の形態において、携帯電話端末５の外部端子５３１はＵＳＢ端子である。
【００８４】
そして、この実施の形態の携帯電話端末５は、外部端子５３１を通じてドック装置４に接続された場合には、メッセージ処理部５１１、端末情報提供部５１２、通話音声変換部５１３を機能させ、ドック装置４と協働してＳＩＰサーバ１の配下の電話端末となることができるようにされる。
【００８５】
ここで、メッセージ処理部５１１は、制御部５４０の制御の下、外部端子５３１を通じてドック装置４に対して接続された場合に、ドック装置４との間で送受されるメッセージ（要求、指示、通知、応答等）を処理する。具体的に、メッセージ処理部５１１は、外部端子５３１を通じて接続されたドック装置４からのメッセージ情報を受け付け、これを制御部５４０において利用できるようにして制御部５４０に供給する。これにより、制御部５４０は、ドック装置４からのメッセージに対応した処理を行うことができるようにされる。
【００８６】
また、メッセージ処理部５１１は、自機からドック装置４に対して提供するメッセージを形成し、これを制御部５４０、外部Ｉ／Ｆ５３２、外部端子５３１を通じて、ドック装置４に供給する。ここで、自機からドック装置４に提供するメッセージとしては、例えば、操作入力部５２１を通じて受け付けたユーザからの指示に応じて提供する必要が生じメッセージや、ドック装置４から提供されたメッセージに対応して提供する必要が生じたメッセージなどである。このように、メッセージ処理部５１１の機能によって、携帯電話端末５とドック装置４とが協働することができるようにされる。
【００８７】
端末情報提供部５１２は、外部端子５３１を通じてドック装置４に対して接続され、当該ドック装置４から端末識別情報の提供要求が来た場合に、制御部５４０の制御により、自機の端末識別情報を取得して、これをドック装置４に提供するようにする。具体的に、端末情報提供部５１２は、端末識別情報の提供要求に応じて、自機に搭載されたＳＩＭカードやＥＥＰＲＯＭ５４４から、ＳＩＭ．Ｎｏ、電話番号、キャリア名（携帯電話会社名）などを取得する。そして、端末情報提供部５１２は、取得した端末識別情報を含む応答を形成し、これを制御部５４０、外部Ｉ／Ｆ５３２、外部端子５３１を通じてドック装置４に提供する。なお、取得された端末識別情報を含む応答は、メッセージ処理部５１１において形成し、これをドック装置４に提供するようにしてもよい。
【００８８】
通話音声変換部５１３は、ＳＩＰサーバ１とドック装置４とを通じて、相手先と携帯電話端末５との間で送受される通話音声を処理する。具体的には、ＳＩＰサーバ１及びドック装置４を通じて提供されるＩＰ網６や電話網７に接続された相手先の電話端末からの通話音声は、外部端子５３１、外部Ｉ／Ｆ５３２、制御部５４０を通じて通話音声変換部５１３に供給される。通話音声変換部５１３は、供給された相手先の通話音声データから通話音声処理部５０４に供給する形式の音声データを形成し、これを制御部５４０を通じて通話音声処理部５０４に供給する。これにより、通話の相手先からの音声データが、通話音声処理部５０４でアナログ音声信号に変換され、受話アンプ５０５を通じて受話器５０６に供給されて音響再生される。
【００８９】
また、通話音声変換部５１３は、送話器５０７を通じて集音され、送話アンプ５０８及び通話音声処理部５０４で処理された自機のユーザからの通話音声データを、ドック装置４に対して供給する形式の音声データに変換する。ここで変換された自機のユーザからの音声データは、制御部５４０、外部Ｉ／Ｆ５３２、外部端子５３１を通じてドック装置４に供給され、ドック装置４からＳＩＰサーバ１を通じて通話の相手先に送信するようにされる。このように、通話音声変換部５１３の機能により、ドック装置４と携帯電話端末５とからなる電話端末を用いて、ＳＩＰサーバ１を通じて通信路を接続している相手先との間で通話を行うことができるようにされる。
【００９０】
なお、上述もしたが、ドック装置４は、予め接続端末登録メモリ４２１に予め登録された端末識別情報を有する携帯電話端末５の接続だけを許可するようにされている。このため、端末情報提供部５１２の機能により、自機の端末識別情報をドック装置４に提供し、認証を取ることができるようにされる。
【００９１】
そして、携帯電話端末５は、ドック装置４において接続が許可されると、当該ドック装置４と協働して、ＳＩＰサーバ１の配下の電話端末となる。このため、携帯電話端末５の制御部５４０は、ドック装置４に対して接続が許可されると、電話通信部５０２及び送受信信号処理部５０３の機能を停止させると共に、通話音声変換部５１３を機能させる。これにより、携帯電話端末としての機能（携帯電話網を通じて通信を行う機能）を停止させ、ＳＩＰサーバ１の配下の電話端末として機能することができるようにされる。
【００９２】
また、携帯電話端末５の制御部５４０は、外部端子５３１を通じて接続されていたドック装置４から切り離されると、電話通信部５０２及び送受信信号処理部５０３を機能させると共に、メッセージ処理部５１１、端末情報提供部５１２、通話音声変換部５１３の機能を停止させて、単体で携帯電話端末として機能するようにされる。すなわち、携帯電話網を通じての通信ができるようにされる。このように、携帯電話端末５の制御部５４０は、機能停止制御部及び機能動作制御部としての機能をも実現している。
【００９３】
なお、図６において、二重線で示したメッセージ処理部５１１と、端末情報提供部５１２と、通話音声変換部５１３とは、それぞれ独立した回路部分として示しているが、これに限るものではない。メッセージ処理部５１１、端末情報提供部５１２、通話音声変換部５１３のそれぞれは、制御部５４０において実行されるプログラムにより、制御部５４０の機能として実現することももちろん可能である。
【００９４】
［電話システムの処理］
次に、この実施の形態の電話システムで行われる処理について、図７〜図１０を参照しながら説明する。以下においては、ドック装置４と携帯電話端末５とからなる電話端末を通じて、（１）着信に応答して通話を行う場合、（２）発信して通話を行う場合、さらに、（３）ドック装置４に接続されている携帯電話端末５を切断する（切り離す）場合のそれぞれにおける処理ついて説明する。
【００９５】
［（１）着信に応答して通話を行う場合］
まず、この実施の形態の電話システムにおいて、ドック装置４と携帯電話端末５とからなる電話端末を用いて掛かってきた電話に応答して通話する場合の処理について説明する。図７は、この実施の形態の電話システムにおいて、ドック装置４と携帯電話端末５とからなる電話端末を通じて、着信に応答して通話を行う場合の処理について説明するためのシーケンス図である。
【００９６】
図７の右上端側に示すように、携帯電話端末５のユーザが、例えば、外出先から帰社し、当該携帯電話端末５の外部端子５３１と、社内に設置されているドック装置４の外部端子４１１とを図１に示したようにＵＳＢケーブル８を用いて接続したとする（ステップＳ１）。この場合、ドック装置４の制御部４３０は、外部端子４１１及び外部Ｉ／Ｆ４１２を通じた携帯電話端末５との接続時の通信処理により、自機に外部機器が接続されたことを認識することができる。そこで、ドック装置４の制御部４３０は、外部機器の接続を検知すると、メッセージ処理部４２３を制御して、端末識別情報の提供要求（端末情報要求）を形成し、これを制御部４３０、外部Ｉ／Ｆ４１２、外部端子４１１を通じて携帯電話端末５に提供する（ステップＳ２）。
【００９７】
一方、携帯電話端末５の制御部５４０もまた、外部端子５３１及び外部Ｉ／Ｆ５３２を通じたドック装置４との接続時の通信処理により、自機が外部機器に接続されたことを認識することができる。この場合、携帯電話端末５の制御部５４０は、メッセージ処理部５１１を機能させ、外部機器からのメッセージを処理できるようにする。そして、携帯電話端末５の制御部５４０は、ドック装置４からの端末情報要求を受信すると、メッセージ処理部５１１を制御して端末識別情報を含む端末情報応答を形成し、これを制御部５４０、外部Ｉ／Ｆ５３２、外部端子５３１を通じてドック装置４に提供する（ステップＳ３）。
【００９８】
このように、ドック装置４と携帯電話端末５との間では、ドック装置４側の制御部４３０、外部Ｉ／Ｆ４１２、外部端子４１１と、携帯電話端末５側の制御部５４０、外部Ｉ／Ｆ５３２、外部端子５３１を通じて、情報（信号）の送受が行われる。
【００９９】
そして、ドック装置４の制御部４３０は、携帯電話端末５からの端末識別情報を含む端末情報応答を受信すると、当該携帯電話端末５が接続可能か否かを判別し、接続可能である場合には、内線アプリ起動要求を形成して、これを携帯電話端末５に供給する（ステップＳ４）。ステップＳ４においては、制御部４３０が、携帯電話端末５からの端末識別情報に基づいて、接続端末登録メモリ４２１の登録情報を参照し、自機に接続された携帯電話端末５が接続可能なものか否かを判別する。ここで、接続端末登録メモリ４２１の登録情報（登録端末）と携帯電話端末５からの端末情報（端末識別情報）が一致したとする。この場合には、ドック装置４の制御部４３０は、メッセージ処理部４２３を制御して、内線アプリケーションプログラムの起動要求（内線アプリ起動要求）を形成し、これを携帯電話端末５に提供する。
【０１００】
内線アプリ起動要求を受信した携帯電話端末５では、制御部５４０が内線アプリケーションプログラムを起動する（ステップＳ５）。これにより、制御部５４０は、電話通信部５０２と送受信信号処理部５０３との機能を停止させて携帯電話端末としては機能しないようにし、通話音声変換部５１３等の必要部分を機能させるようにする。
【０１０１】
そして、ドック装置４においては、制御部４３０の制御に応じた端末登録離脱処理部４２２が、接続端末登録メモリ４２１に形成されている接続端末登録テーブルの該当する端末識別情報の接続状況欄に、接続中を示す情報を更新する（ステップＳ６）。
【０１０２】
なお、ステップＳ４の処理において、ドック装置４の端末登録削除処理部４２２が、外部端子４１１を通じて接続された携帯電話端末５が、自機に接続可能なものではないと判別したとする。この場合、ドック装置４は、制御部４３０がメッセージ処理部４２３を制御し、接続不可メッセージを形成して、これを当該携帯電話端末５に提供する。この場合、携帯電話端末５においては、当該接続不可メッセージに応じて、ドック装置４に接続できないことを示す表示メッセージをディスプレイ５２４に表示するなどして、当該携帯電話端末５はドック装置４に接続できないものであることをユーザに通知することになる。
【０１０３】
そして、ステップＳ６の処理の後、ドック装置４の制御部４３０は、メッセージ処理部４２３を制御し、ＥＥＰＲＯＭ４３４に登録されている内線登録データを含むＳＩＰサーバ１宛ての登録要求を形成し、これをＳＩＰサーバ１に送信する（ステップＳ７）。当該登録要求は、制御部４３０、ＬＡＮＩ／Ｆ４０２、ＬＡＮ接続端子４０１を通じてＬＡＮに送出され、ＬＡＮを通じてＳＩＰサーバ１に送信される。この後、ＳＩＰサーバ１において、内線登録データをアドレス管理ＤＢ１０６に登録されると、当該ドック装置４宛ての登録応答が形成され、これがＬＡＮを通じて送信されてくる。
【０１０４】
ドック装置４がＳＩＰサーバ１からの登録応答をＬＡＮ接続端子及びＬＡＮＩ／Ｆ４０２を通じて受信すると、制御部４３０がメッセージ処理部４２３を制御して、内線電話状態表示要求を形成し、これを携帯電話端末５に提供する（ステップＳ８）。当該内線電話状態表示要求は、外部端子を通じて有線接続されたドック装置４と携帯電話端末５とが、ＳＩＰサーバ１の配下の電話端末となったことを示す情報を表示することを要求するものである。
【０１０５】
これに応じて、携帯電話端末５の制御部５４０は、ディスプレイコントローラ５２３を制御し、ディスプレイ５２４の所定の位置にＳＩＰサーバ１の配下の電話端末となったこと、すなわち内線電話となったことを示す表示情報を表示する（ステップＳ９）。このステップＳ９においては、例えば、基地局からの電波の受信状況を示す表示やバッテリの残量表示などに替えて、「内線電話」や「内線２０１０」などといった内線電話となったことを示す表示がディスプレイ５２４の表示画面の所定の位置に表示される。このように、図７に示したステップＳ１〜ステップＳ９の処理により、ドック装置４とこれに有線接続された携帯電話端末５とからなる端末が、ＳＩＰサーバ１の配下の電話端末となるようにされる。
【０１０６】
この後、図７において、ステップＳ８の下側に示すように、当該電話システムに対して着信があり、ＳＩＰサーバ１がＬＡＮを通じて配下の電話端末に対して、着信通知（着信メッセージ）を送出したとする。ＳＩＰサーバ１からの着信通知を受信したドック装置４の制御部４３０は、いわゆる待ち受け状態から自機に着信がある状態となるように、電話内部状態を更新する（ステップＳ１１）。ここで待ち受け状態は、着信を受け付けたり
発信操作を受け付けたりすることが可能な状態を意味し、着信がある状態とは、自機に着信があり、呼び出しを行うようにする状態を意味する。この後、ドック装置４の制御部４３０は、メッセージ処理部４２３を制御して、発信元の電話番号を含み、着信が発生していることを通知するための内線電話状態表示要求を形成し、これを自機に接続されている携帯電話端末５に提供する（ステップＳ１２）。
【０１０７】
ドック装置４からの内線電話状態表示要求を受信した携帯電話端末５では、制御部５４０が各部を制御し、自機に着信があることをユーザに通知する処理（内線電話状態表示更新）を行う（ステップＳ１３）。ステップＳ１３においては、携帯電話端末５の制御部５４０が、リンガ５２５を制御して着信音（呼び出し音）を放音すると共に、内線電話状態表示要求に含まれる発信元の電話番号をディスプレイコントローラ５２３を通じてディスプレイ５２４に表示する処理を行う。
【０１０８】
携帯電話端末５におけるステップＳ１３の処理により、着信があることを携帯電話端末５のユーザに通知した後、当該携帯電話端末５に対してユーザが応答操作（オフフック操作）を行ったとする。この場合、携帯電話端末５の制御部５４０は、メッセージ処理部５１１を制御し、ユーザ応答操作通知を形成し、これをドック装置４に提供する（ステップＳ１４）。
【０１０９】
ユーザ応答操作通知を受信したドック装置４は、制御部４３０がメッセージ処理部４２３を制御して、ＳＩＰサーバ１宛ての着信応答通知を形成し、これを制御部４３０、ＬＡＮＩ／Ｆ４０２、ＬＡＮ接続端子４０１を通じてＬＡＮに送出する（ステップＳ１５）。これにより、ＳＩＰサーバ１に対して、着信応答通知が送信される。そして、着信応答通知を受信したＳＩＰサーバ１は、発信元の端末装置と、応答してきた配下のドック装置４との間に通信路を接続する。これにより、発信元の端末装置とドック装置４に接続された携帯電話端末５との間で、通話音声の送受が行われ、通話（電話通信）を行うことができるようにされる。この場合、ドック装置４では通話音声処理部４２４が、また、携帯電話端末５では通話音声変換部５１３が機能するようにされる。
【０１１０】
なお、図７の最下段に示すように、ＳＩＰサーバ１とドック装置４とはＬＡＮケーブルにより有線接続され、また、ドック装置４と携帯電話端末５とはＵＳＢケーブルにより有線接続される。したがって、無線接続される部分はないので、障害物やノイズなどの影響を受けることなく、高品位に通話を行うことができるようにされる。また、通話が完了するなどして、発信元または携帯電話端末５のユーザが、オンフックするようにすると、接続された通信路は解放され、ドック装置４と携帯電話端末５とからなる電話端末は、いわゆる待ち受け状態となるようにされる。
【０１１１】
［（２）発信して通話を行う場合］
次に、ドック装置４と携帯電話端末５とからなる電話端末を用いて、目的とする相手先に電話を掛けて（発信して）通話を行う場合のこの実施の形態の電話システムの処理について説明する。図８、図９は、この実施の形態の電話システムにおいて、ドック装置４と携帯電話端末５とからなる電話端末を通じて発信して通話を行う場合の処理について説明するためのシーケンス図である。
【０１１２】
ここでは、図７を用いて説明したステップＳ１〜ステップＳ９までの処理が既になされ、ドック装置４と携帯電話端末５とからなる電話端末が、ＳＩＰサーバ１の配下の電話端末となっているものとする。このため、図８の右上端部に示すように、携帯電話端末５は、ディスプレイ５２４の所定の位置にＳＩＰサーバ１の配下の電話端末となったこと、すなわち内線電話となったことを示す表示情報が表示された状態にあるとする（ステップＳ９）。
【０１１３】
そして、ユーザが携帯電話端末５の操作入力部５２１を通じて、目的とする相手先の電話番号を入力したり、電話帳ＤＢ５１４から目的とする相手先の電話帳データを選択したりするユーザ操作を行ったとする。この場合、携帯電話端末５の制御部５４０は、メッセージ処理部５１１を制御し、操作入力部５２１及び操作入力Ｉ／Ｆ５２２を通じて受け付けた入力情報を含むユーザ操作通知を形成し、これをドック装置４に提供する（ステップＳ２１）。
【０１１４】
ドック装置４の制御部４３０は、自機の状態をいわゆる待ち受け状態からユーザからの操作入力を受け付けた状態に遷移させる（ステップＳ２２）。そして、ドック装置４は、制御部４３０がメッセージ処理部４２３を制御して、内線電話状態表示指示を形成し、これを携帯電話端末５に提供する（ステップＳ２３）。当該内線電話状態表示指示は、操作入力部５２１を通じて入力された入力情報（相手先の電話番号）の表示を指示するものである。
【０１１５】
これに応じて、携帯電話端末５の制御部５４０は、ディスプレイコントローラ５２３を制御し、ディスプレイ５２４の所定の位置に入力情報（相手先の電話番号）を表示する処理（内線電話状態表示更新）を行う（ステップＳ２４）。これにより、携帯電話端末５のユーザは、携帯電話端末５のディスプレイ５２４に表示された入力情報（相手先の電話番号）を確認し、自分が入力した電話番号が正しいか否かを判別することができるようにされる。
【０１１６】
表示された相手先の電話番号が正しくない場合には、目的とする相手先の電話番号の再入力や修正入力を行うことができるようにされる。そして、表示された相手先の電話番号が正しい場合には、携帯電話端末５のユーザは、操作入力部５２１を通じて、発信を行うようにする操作入力を行う。この場合、携帯電話端末５の制御部５４０は、メッセージ処理部５１１を制御し、操作入力部５２１及び操作入力Ｉ／Ｆ５２２を通じて受け付けた入力情報（相手先の電話番号と発信指示）を含むユーザ操作通知を形成し、これをドック装置４に提供する（ステップＳ２５）。
【０１１７】
ドック装置４の制御部４３０は、自機の状態を、最初に入力情報を受け付けた状態から発信を行う状態に遷移させる（ステップＳ２６）。そして、ドック装置４は、制御部４３０がメッセージ処理部４２３を制御して、内線電話状態表示指示を形成し、これを携帯電話端末５に提供する（ステップＳ２７）。当該内線電話状態表示指示は、操作入力部５２１を通じて入力された入力情報（発信に用いる確定した相手先の電話番号）の表示を指示するものである。
【０１１８】
これに応じて、携帯電話端末５の制御部５４０は、ディスプレイコントローラ５２３を制御し、ディスプレイ５２４の所定の位置に入力情報（発信に用いる確定した相手先の電話番号）を表示する（ステップＳ２８）。これにより、携帯電話端末５のユーザは、携帯電話端末５のディスプレイ５２４に表示された入力情報（相手先の電話番号）を確認し、何処に発信を行うようにしているのかを確認することができるようにされる。
【０１１９】
そして、ドック装置４は、制御部４３０がメッセージ処理部４２３を制御して、携帯電話端末５からの相手先の電話番号を含むＳＩＰサーバ１宛ての発信要求を形成し、これをＬＡＮを通じてＳＩＰサーバ１に送信する（ステップＳ２９）。すなわち、ドック装置４で形成された発信要求は、制御部４３０、ＬＡＮＩ／Ｆ４０２、ＬＡＮ接続端子４０１を通じてＬＡＮに送出されて、ＳＩＰサーバ１に提供される。そして、ＳＩＰサーバ１では、発信要求に含まれる相手先の電話番号により相手先を特定し、当該相手先に対して発信を行うようにされる。
【０１２０】
この後、当該電話システムは、図９に示す処理に進む。そして、ＳＩＰサーバ１からの発信に伴い、相手先の端末装置において呼び出し処理が開始されたとする。この場合、相手先の端末装置からは呼び出し中であることを示すメッセージが返信されてくる。この呼び出し中であることを示すメッセージが、当該発信が適正に成功したことを示す情報となる。このため、ドック装置４においては、発信を行う状態から相手先からの応答を待つ状態に遷移する（ステップＳ３１）。そして、ドック装置４は、制御部４３０がメッセージ処理部４２３を制御して、内線電話状態表示指示を形成し、これを携帯電話端末５に提供する（ステップＳ３２）。当該内線電話状態表示指示は、目的とする相手先が呼び出し中になったことの通知を指示するものである。
【０１２１】
これに応じて、携帯電話端末５の制御部５４０は、ＲＢＴ（Ring Back Tone）を放音するようにすると共に、着信先（電話を掛けた相手先）の電話番号をディスプレイ５２４に表示する処理（内線電話状態表示更新）を行う（ステップＳ３３）。すなわち、ステップＳ３３においては、制御部５４０が通話音声処理部５０４を制御し、通話音声処理部５０４及び受話アンプ５０５を通じて、受話器５０６からＲＢＴを放音するようにする。さらに、制御部５４０が、ディスプレイコントローラ５２３を制御し、ディスプレイ５２４の所定の位置に着信先（電話を掛けた相手先）の電話番号を表示する。これにより、携帯電話端末５のユーザは、目的とする相手先の端末装置が呼び出し中になったことを認識することができるようにされる。
【０１２２】
この後、目的とする相手先の端末装置に対して応答操作が行われ、当該相手先から着信応答がＳＩＰサーバ１に送信されてきたとする。当該着信応答は、ＳＩＰサーバ１を通じて発信元のドック装置４に提供される。この場合、当該ドック装置４においては、相手先からの応答を待つ状態から着信応答を受信し、通話路を接続して通話を行う状態に遷移する（ステップＳ３４）。そして、ドック装置４は、制御部４３０がメッセージ処理部４２３を制御して、内線電話状態表示指示を形成し、これを携帯電話端末５に提供する（ステップＳ３５）。当該内線電話状態表示指示は、目的とする相手先が応答してきたので、通話を行う状態に遷移することを指示するものである。
【０１２３】
これに応じて、携帯電話端末５の制御部５４０は、各部を制御し、自機を、通話を開始させる状態に遷移させる処理（内線電話状態表示更新）を行う（ステップＳ３６）。具体的に、制御部５４０は、通話音声処理部５０４を制御し、ＲＢＴ（Ring Back Tone）の放音を停止させる。そして、制御部５４０は、ディスプレイコントローラ５２３を制御して、着信先（電話を掛けた相手先）の電話番号をディスプレイ５２４に表示すると共に、通話時間の表示を開始する。
【０１２４】
そして、ドック装置４の制御部４３０は通話音声処理部４２４を、また、携帯電話端末５の制御部５４０は通話音声変換部５１３をそれぞれ制御し、目的とする相手先との間で、通話（電話通信）を行うようにする。このようにして、ドック装置４と携帯電話端末５とからなる電話端末から発信して、目的とする相手先との間に通信路を接続し、通話を行うことができるようにされる。
【０１２５】
［（３）ドック装置４に接続されている携帯電話端末５を切断する場合］
次に、ドック装置４に対して有線接続されている携帯電話端末５を切断（切り離す）場合のこの実施の形態の電話システムの処理について説明する。図１０は、この実施の形態の電話システムにおいて、ドック装置４と携帯電話端末５とからなる電話端末を通じて通話を行っている状態にあるときに、携帯電話端末５をドック装置４から切り離すようにした場合の処理について説明するためのシーケンス図である。
【０１２６】
図１０の上端部に示すように、ドック装置４と携帯電話端末５とからなる電話端末を通じて、目的とする相手先との間で通話路を接続し、通話を行う状態になっているとする。この状態にあるときに、携帯電話端末５のユーザが、携帯電話端末５の外部端子５３１に接続されているＵＳＢケーブル８を外したり、ドック装置４の外部端子４１１に接続されているＵＳＢケーブル８を外したりしたとする。これにより、ドック装置４と携帯電話端末５との接続（有線による接続）が切断される（ステップＳ４１）。
【０１２７】
この場合、携帯電話端末５の制御部５４０は、外部端子５３１及び外部Ｉ／Ｆ５３２を通じたドック装置４との信号の送受ができなくなるので、自機がドック装置４から切断されたことを検知することができる。このように、制御部５４０は、自機がドック装置４から切断されたことを検知すると、図７のステップＳ５において起動させた内線アプリを終了させて、携帯電話端末として動作するようにする（ステップＳ４２）。具体的に、ステップＳ４２において、制御部５４０は、メッセージ処理部５１１や通話音声変換部５１３を制御して、これらの機能を停止させると共に、機能を停止させていた電話通信部５０２及び送受信信号処理部５０３の動作を再開させる。これにより、携帯電話端末５の無線通信処理系が動作し、携帯電話網を通じた通信を行うことができるようにされる。すなわち、携帯電話端末５は、ドック装置４から切り離され、通常の携帯電話端末として機能するようにされる。
【０１２８】
一方、ドック装置４の制御部４３０は、外部端子４１１及び外部Ｉ／Ｆ４１２を通じた携帯電話端末５との信号の送受ができなくなるので、自機から携帯電話端末５が切断されたことを検知することができる。このように、制御部４３０は、自機から携帯電話端末５が切断されたことを検知すると、接続端末登録メモリ４２１に登録されている登録テーブルの接続状況の欄を更新する（ステップＳ４３）。すなわち、ステップＳ４３の更新処理では、図５に示した接続端末登録テーブルの当該ドック装置４に接続されていた携帯電話端末５についての接続状況の欄を接続中を示す情報から未接続状態を示す情報に更新する。
【０１２９】
この後、ドック装置４の制御部４３０は、メッセージ処理部４２３を制御して、ＳＩＰサーバ１宛ての通話切断要求を形成し、これをＬＡＮを通じてＳＩＰサーバ１に対して送信する（ステップＳ４４）。これにより、ＳＩＰサーバ１を通じて通話の相手先にも通話路が切断されたことを通知するようにして、相手先との通話を終了させるようにする。さらに、ドック装置４の制御部４３０は、通話音声処理部４２４の動作を停止させるなどして、自機を通話状態からいわゆる待ち受け状態に遷移させるようにする（ステップＳ４５）。
【０１３０】
そして、ドック装置４は、自機からＳＩＰサーバ１に送信した通話切断要求に対する通話切断応答がＳＩＰサーバ１から送信されてくるのを待つ。ドック装置４の制御部４３０は、当該通話切断応答を受信すると、端末登録離脱処理部４２２を制御して、自機の内線登録データを含む内線サーバ離脱要求を形成し、これをＬＡＮを通じてＳＩＰサーバ１に送信する（ステップＳ４６）。内線登録データは、図１に示したように、ドック装置４に割り当てられている内線番号やＩＰアドレス、さらにポート番号からなる情報である。
【０１３１】
この後、ドック装置４は、ＳＩＰサーバ１から離脱完了通知が送信されてくるのを待つ。そして、ドック装置４の制御部４３０は、ＳＩＰサーバ１からの離脱完了通知を受信すると、端末登録離脱処理部４２２、メッセージ処理部４２３を停止させて、自機をいわゆる待ち受け状態から携帯電話端末５の接続を待つ接続待機状態に遷移させる（ステップＳ４７）。これにより、ＳＩＰサーバ１においては、アドレス管理ＤＢ１０６から対応する内線登録データが削除され、当該ドック装置４はＳＩＰサーバ１の配下から離脱することになる。また、当該ドック装置４自体は、上述したように、携帯電話端末５の接続待機状態となり、携帯電話端末５の接続待ちとなる。
【０１３２】
なお、ここでは、図１０を用いて、ドック装置４と携帯電話端末５とからなる電話端末が、通話状態にあるときに、ドック装置４から携帯電話端末５を切断した場合の処理について説明した。しかし、携帯電話端末５のドック装置４からの切り離しは、いわゆる待ち受け状態にあるときに行われる場合が多い。そして、ドック装置４と携帯電話端末５とからなる電話端末がいわゆる待ち受け状態にあるときに、ドック装置４から携帯電話端末５を切り離すようにした場合にも、図１０に示した処理において、斜線で示したステップＳ４４及びステップＳ４５の処理がドック装置４において行われないことを除けば、図１０を用いて説明した処理と同様の処理が行われることになる。
【０１３３】
すなわち、図１０において、斜線で示した通話は行われていない待ち受け状態におけるドック装置４からの携帯電話端末５の切り離し時においては、携帯電話端末５では、上述した場合と同様に、ステップＳ４１とステップＳ４２の処理が行われる。また、ドック装置４では、通話切断に関するステップＳ４４、ステップＳ４５の処理は行う必要はないので、ステップＳ４３、ステップＳ４６、ステップＳ４７の処理が行われる。なお、ステップＳ４７においては、待ち受け状態から携帯電話端末５の接続待ち状態に状態が遷移するようにされることになる。
【０１３４】
［実施の形態の効果］
上述したように、携帯電話端末５を外出先では通常の携帯電話端末として用い、会社内ではドック装置４と共にＳＩＰサーバ１の配下の電話端末として用いるようにすることができる。そして、ドック装置４は当該電話端末の制御の主体として用い、携帯電話端末５は当該電話端末のユーザインターフェースとして用いることができる。したがって、携帯電話端末５を電話システムに接続して有効活用することができる。そして、ドック装置４と携帯電話端末５とは有線により接続されるので、無線の場合に比べて、通信の品質を高品位に保つこともできる。
【０１３５】
［この発明の方法、プログラム］
なお、上述した実施の形態において、図７〜図１０のシーケンス図を用いて説明した電話システムの処理が、この発明による方法が適用されて実現されたものである。また、図７〜図１０のシーケンス図を用いて説明したドック装置４で実行すべき処理を実行するようにするプログラムを形成し、これをドック装置４の制御部４３０で実行するようにドック装置４に搭載することにより、この発明のドック装置を実現することができる。同様に、図７〜図１０のシーケンス図を用いて説明した携帯電話端末５で実行すべき処理を実行するプログラムを形成し、これを携帯電話端末５の制御部５４０で実行するように携帯電話端末５に搭載することにより、この発明の携帯電話端末を実現することができる。
【０１３６】
［実施の形態の装置や回路部と、請求項の装置や手段との対応］
また、上述した実施の形態からも明らかなように、ＳＩＰサーバ１が交換装置としての機能を実現し、ドック装置４がドック装置としての機能を実現し、携帯電話端末５が携帯通信端末としての機能を実現している。
【０１３７】
そして、ドック装置４のＬＡＮ接続端子４０１が第１の接続端部としての機能を実現し、外部端子４１１が第２の接続端部としての機能を実現している。また、ドック装置４の端末登録離脱処理部４２２が端末登録処理手段、端末離脱処理手段としての機能を実現し、メッセージ処理部４２３がメッセージ処理手段、要求提供手段としての機能を実現している。また、ドック装置４の通話音声処理部４２４が通話音声処理手段としての機能を実現し、接続端末登録メモリ４２１が記憶手段としての機能を実現し、制御部４３０が判別手段としての機能を実現している。
【０１３８】
また、携帯電話端末５の外部端子５３１が外部装置用接続端部としての機能を実現し、ディスプレイ５２４が表示手段としての機能を実現し、操作入力部５２１が受付手段としての機能を実現している。また、携帯電話端末５の受話器５０６、送話器５０７が受話器、送話器の機能を実現し、制御部５４０が機能停止制御手段、機能動作制御手段としての機能を実現している。また、携帯電話端末５のメッセージ処理部５１１と制御部５４０が端末メッセージ処理手段としての機能を実現し、通話音声変換部５１３が通話音声処理手段としての機能を実現している。また、携帯電話端末５のＥＥＰＲＯＭ５４４が端末情報記憶手段としての機能を実現し、端末情報提供部５１２が端末情報提供手段としての機能を実現している。
【０１３９】
［その他］
また、上述した実施の形態においては、図７を用いて説明したように、携帯電話端末５は、ドック装置４からの内線アプリ起動要求が送信されてきた場合に、携帯電話端末としての機能を停止させるようにしたが、これに限るものではない。例えば、携帯電話端末５の制御部５４０が、ドック装置４に接続されたことを検出した段階で、携帯電話端末５の携帯電話端末としての機能を停止させるようにしてもよい。この場合、仮に当該携帯電話端末５がドック装置４に対して接続できないものである場合には、当該携帯電話端末５において、ドック装置４から切り離されたことを検知した場合に、図１０のステップＳ４１において説明したように、携帯電話端末としての機能を動作させるようにすればよい。
【０１４０】
また、携帯電話端末５が、ドック装置４に接続された場合にも、携帯電話端末としての機能は停止させずに、ドック装置４から自機に着信があることの通知が来た場合に、携帯電話端末としての機能を停止させ、携帯電話端末５をドック装置４ともに構成する電話端末のユーザインターフェースとして機能させるようにしてもよい。この場合、通話が完了し、通信路が解放された段階で、携帯電話端末５の携帯電話端末としての機能を復旧させるようにすればよい。
【０１４１】
また、上述した実施の形態においては、ＩＰ電話システムにこの発明を適用した場合を例にして説明したが、これに限るものではない。ＳＩＰサーバ１の代わりに主装置を用いて構成するボタン電話システムにもこの発明を適用することができる。
【０１４２】
また、上述した実施の形態においては、携帯電話端末５とドック装置４とはＵＳＢ規格のインターフェースにより接続したが、これに限るものではない。種々のデジタルインターフェースにより接続することが可能である。
【０１４３】
また、携帯電話端末５としては、従来の携帯電話端末の他、スマートホンなどと呼ばれる高機能携帯電話端末を用いることもできる。また、例えば、ヘッドセットなどを接続することにより、通話機能を備えるようにすることが可能なパッド型情報端末やタブレッド型情報端末を、上述した実施の形態の携帯電話端末５として利用することもできる。すなわち、この発明における携帯電話端末として、通話機能を備えると共に、ドック装置に対して有線接続可能な構成を備えた種々の携帯型の通信端末を用いることができる。
【０１４４】
また、携帯電話端末５の操作入力部５２１は、表示画面に表示される表示情報と当該表示画面に貼付されるタッチパネルとにより実現されるいわゆるソフトウェアキーボードの構成とされる場合もある。
【０１４５】
また、上述した実施の形態においては、ドック装置４に接続される携帯電話端末５が、電話端末としてのユーザインターフェース部分を実現するものとして説明したが、これに限るものではない。例えば、ドック装置４に受話器と送話器を備えたハンドセットを別途設けるようにし、当該ハンドセットを通じて通話を行えるように構成することもできる。この場合には、携帯電話端末５側に通話音声変換部５１３を設ける必要がなくなる。そして、この場合の携帯電話端末５は、表示デバイスと操作入力デバイスとしての機能を担当できるようにすればよい。このようにすることによって、ドック装置４と携帯電話端末５との間では、主に制御に関するメッセージ情報だけが送受するようにされ、通話音声の送受を行うことはないので、通話音声の更なる高品位かを実現することができる。
【０１４６】
なお、上述したように、「携帯電話端末としての機能を停止させる」とは、主に携帯電話網を通じて通信をできないようにすることを意味するが、広くは、携帯電話端末が本来単独で実現できる機能を停止させることを意味する。したがって、「単体で携帯電話端末として機能として機能できるようにする」あるいは、「携帯電話端末としての機能を復旧する」などの意味は、主に携帯電話網を通じて通信ができるようにされることを意味するが、広くは、携帯電話端末が本来単独で実現できる停止されていた機能を実行できるようにすることを意味する。
【符号の説明】
【０１４７】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレス管理ＤＢ、１０７…ＬＡＮＩ／Ｆ、１０８…ＬＡＮへの接続端子、１１０…制御部、２Ａ、２Ｂ…ＬＡＮケーブル、３…ハブ装置、４…ドック装置、４０１…ＬＡＮ接続端子、４０２…ＬＡＮＩ／Ｆ、４１１…外部端子、４１２…外部Ｉ／Ｆ、４１３…充電電流供給部、４１４…ＡＣコンセント、４２１…接続端末登録メモリ、４２２…端末登録離脱処理部、４２３…メッセージ処理部、４２４…通話音声処理部、４３０…制御部、５…携帯電話端末、５０１…送受信アンテナ、５０２…電話通信部、５０３…送受信信号処理部、５０４…通話音声処理部、５０５…受話アンプ、５０６…受話器、５０７…送話器、５０８…送話アンプ、５１１…メッセージ処理部、５１２…端末情報提供部、５１３…通話音声変換部、５１４…電話帳ＤＢ、５２１…操作入力部、５２２…操作入力Ｉ／Ｆ、５２３…ディスプレイコントローラ、５２４…ディスプレイ、５２５…リンガ、５３１…外部端子、５３２…外部Ｉ／Ｆ、５３３…充電回路、５３４…バッテリ、５４０…制御部、６…ＩＰ網、７…電話網
【図１】
2012213098.tif 000003
【図２】
2012213098.tif 000004
【図３】
2012213098.tif 000005
【図４】
2012213098.tif 000006
【図５】
2012213098.tif 000007
【図６】
2012213098.tif 000008
【図７】
2012213098.tif 000009
【図８】
2012213098.tif 000010
【図９】
2012213098.tif 000011
【図１０】
2012213098.tif 000012